(57)【特許請求の範囲】
【請求項１】
人体に添わせる基体部と、この基体部の表面に設けられた導電性材料とを備えた健康用具であって、
前記導電性材料は、人体の近傍に配置されており、かつ空気中への放電がされるように配置された金属体と導電線を介して接続されることにより、抗菌作用又は生理機能の活性化作用を奏し、前記基体部と前記導電性材料とで形成された肛門挿入部を備えており、この肛門挿入部が肛門内に保持可能な大きさに形成されていることを特徴とする健康用具。
【請求項２】
人体に添わせる基体部と、この基体部の表面に設けられた導電性材料とを備えた健康用具であって、
前記導電性材料は、人体の近傍に配置されており、かつ空気中への放電がされるように配置された金属体と導電線を介して接続されることにより、抗菌作用又は生理機能の活性化作用を奏し、前記基体部と前記導電性材料とで形成され先端側にいくにつれて徐々に太くなる部分を有する肛門挿入部と、この肛門挿入部の根元側に配置された鍔部とを有し、前記鍔部を肛門外側に当接させつつ前記肛門挿入部を肛門内に配置できることを特徴とする健康用具。
【発明の詳細な説明】
【技術分野】
【０００１】
本発明は、人体の健康増進や衛生に寄与しうる健康用具に関するものである。
【背景技術】
【０００２】
人体に装着して健康の増進を図ることのできるものとして、磁気を用いた健康用具が種々提案されている（例えば、特許文献１参照。）。
【特許文献１】特開２００４−２０８８３４号公報
【発明の開示】
【発明が解決しようとする課題】
【０００３】
健康増進や衛生は人体にとって常に問題となっている。たとえば、足裏、足指の根元、及び股間等は、むれやすく高湿度となりやすい上に、排泄物や分泌物（汗など）によって不潔となりやすいため、白癬菌や悪臭原因菌などの各種細菌が繁殖しやすい。また、肛門付近や足先付近は血流が滞りやすい部位であり、足先や股間近傍においては、異臭、水虫、痔疾患、便秘等で多くの人が悩んでいるのが実情である。血流の停滞は肩こりや冷え性をはじめ種々の健康上の問題を引き起こす原因となる。
【０００４】
一方、樹脂のバインダーに導電性粉末（黒鉛、カーボンブラック、金属粉末、導電性セラミックス等）を混合した導電性材料は、導電性が求められる様々な用途に用いられている。たとえば、導電性塗料は、電磁波障害を防止するためにコンピュータや携帯電話などの電子機器等のフレームや静電気防止用の靴などに塗布されている。しかしながら、この導電性材料が人体の健康や衛生に役立つということは全く知られていない。ところが、本発明者が導電性材料について鋭意研究を進めたところ、全く以外なことに、導電性材料が人体の健康上あるいは衛生上極めて有益な効果をもたらすことを見いだし、本発明に至った。
【０００５】
すなわち本発明は、導電性材料を用いることにより、人体の健康増進や衛生に寄与しうる健康用具を提供することを目的とする。
【課題を解決するための手段】
【０００６】
本発明の健康用具は、人体に添わせる基体部と、この基体部の表面に設けられた導電性材料とを備えた健康用具であって、
前記導電性材料は、人体の近傍に配置されており、かつ空気中への放電がされるように配置された金属体と導電線を介して接続されることにより、抗菌作用又は生理機能の活性化作用を奏し、前記基体部と前記導電性材料とで形成された肛門挿入部を備えており、この肛門挿入部が肛門内に保持可能な大きさに形成されていることを特徴とする健康用具である。
また、本発明の健康用具は、人体に添わせる基体部と、この基体部の表面に設けられた導電性材料とを備えた健康用具であって、
前記導電性材料は、人体の近傍に配置されており、かつ空気中への放電がされるように配置された金属体と導電線を介して接続されることにより、抗菌作用又は生理機能の活性化作用を奏し、前記基体部と前記導電性材料とで形成され先端側にいくにつれて徐々に太くなる部分を有する肛門挿入部と、この肛門挿入部の根元側に配置された鍔部とを有し、前記鍔部を肛門外側に当接させつつ前記肛門挿入部を肛門内に配置できることを特徴とする健康器具である。
この健康用具を肛門に装着しておくと、痔疾患の改善、便秘の改善、下痢の改善、排尿
機能改善など、生理機能の活性化に効果があることが判明した。
【発明の効果】
【０００９】
導電性材料を設けた健康用具を身につけておくことにより、抗菌作用や生理機能の活性化作用が奏され、健康を増進させることができる。
【発明を実施するための最良の形態】
【００１０】
以下に、本発明の実施形態を図面を参照しつつ説明する。
図１は、参考例に係る健康用具である靴の中敷き型健康用具１を裏面側からみた平面図である。また、図２及び図３は、この靴の中敷き型健康用具１がブーツ１０の中敷きとして使用されている状態を示す断面図であり、図２は、健康用具１をブーツ１０に装着した場合の例を示す断面図、図３は図２のＡ−Ａ線における断面図である。この健康用具１の裏側面（使用時における足裏側の面と反対の面）には、導電性材料としての導電性塗料が塗られている。
【００１１】
導電性塗料とは、導電性を有する塗料である。具体的には、アクリル、ビニル、エポキシ、アルキド、ポリウレタンなどのバインダー樹脂に導電性粒子を混合したものが一般的である。この導電性粒子の種類としては、金属（銀，銅，ニッケルなど）、銀メッキ銅、黒鉛、カーボンブラックなどが一般に用いられる。好適な導電性塗料の抵抗値は１〜１０７Ω程度であり、好ましくは１０３〜１０５Ωである。また塗料としては、油性（溶剤系）のものでもよく、水性のものでもよい。
【００１２】
健康用具１は、布や樹脂シートなどからなり人体の足型形状に近い輪郭形状を有する基材シート２と、その表面に塗布された導電性塗料３とを有している。導電性塗料３は、基材シート２の裏側面全面に塗布されており、基材シート２の表側面（使用時における足裏側の面）には塗布されていない。なお、導電性塗料３が基材シート２の裏側面に塗布されていてもよく、表側面に塗布されていてもよく、裏側面と表側面の両面に塗布されていてもよい。
【００１３】
更に健康用具１は、導電性塗料３に接続された導電線４と、この導電線４を介して導電性塗料３と接続された金属体５とを有する。導電線４の一端部は、基材シート２の幅方向中央位置に配置されるとともに、基材シート２の長手方向略全長に亘って導電性塗料３と接触し、基材シート２のかかと側から外部に引き出されている。そして、導電線４の他端部は金属体５と接続している。導電性塗料３と金属体５との間における導電線４の長さは特に限定されないが、靴やブーツに装着した際に邪魔とならない程度の長さ（１０ｃｍ〜５０ｃｍ程度）とするのが好ましい。なお導電線４は、導電性塗料３と接触していればよい。よって導電線４は、導電性塗料３に固着させてもよく、また導電性塗料３に固着させずに靴の内部に置いて導電性塗料３と接触させておくだけでもよい。
【００１４】
金属体５は、導電性を有する金属からなる。金属であればその素材は特に限定されないが、鉄、ステンレス、銀、金、銅、ニッケル、白金など通常入手しやすい金属でよい。金属体５の形状は特に限定されず、星形等デザイン性のある形状でもよく、装飾品としても用いられる金属製のブローチやペンダントなども金属体５として好適である。また、金属体５の大きさも特に限定されず、持ち運びに支障のない程度の大きさのものがよい。また金属体５は、金属製のホックとされてもよい。この場合、オス（凸部材）であるホック第一部材とメス（凹部材）であるホック第二部材とからなるホック（図示省略）のいずれかの部材に導電線４を取り付けておく。このようにすると、金属体５の固定が容易となるので好ましい。例えばブーツの外皮１１の内側と外側とからホックで外皮１１を挟み込むようにして外皮１１にホックを固定してもよい。この場合、外皮１１に貫通孔を設けておき、ホックをこの貫通孔に貫通させつつ当該ホックで外皮１１を挟み込むようにしてホックを外皮１１に固定するのが好ましい。このようにすると、外皮１１の内側に位置するホック第一部材と外皮１１の外側に位置するホック第二部材とが接触して電気的に接続されるので、金属体５から外部への放電が円滑となる。なおホック第二部材は外皮１１に固定してもよく、固定しなくてもよい。
【００１５】
健康用具１は、導電性塗料３の塗装された面（裏側面）を下側にしてブーツ１０の内部に装着される。導電性塗料３と金属体５とをつなぐ導電線４は、ブーツ１０の外皮（表皮）１１と裏張り（裏地）１２との間を通されている。これによりブーツ１０を履いた際に導電線４が使用者の邪魔になることがない。導電線４は、ブーツ１０のソール１３側位置においてブーツ１０の裏張り１２を貫通してブーツ１０の外皮（表皮）１１と裏張り（裏地）１２を経由し外皮１１の外側に引き出されている。そして、外皮１１の外側に引き出された導電線４の他端部に金属体５が接続されている。金属体５はブーツ１０の外部に位置しているので、ブーツ１０を履いた使用者の邪魔にならない。この健康用具１を装着することにより、使用者の足裏の異臭を抑制するのに極めて顕著な効果があることがテストにより判明した。テスト結果については後述するが、このテスト結果から、異臭の原因である細菌が健康用具１により死滅したか、又は健康用具１の存在により異臭の原因となる細菌が発生しない環境が創成されていることが分かる。
【００１６】
図４は参考例に係る健康用具である靴下型健康用具６の全体図であり、図５はこの靴下型健康用具６の底面図であり、図６は図４のＢ−Ｂ断面における断面図である。この靴下型健康用具６は、布地よりなり通常靴下として市販されている構成を有する基体部としての布地部７と、この布地部７の底部（ソール部）及び側面部に塗布された導電性塗料３（図４において網目模様で示す）とを有している。図５及び図４に示すように、導電性塗料３の塗装範囲は、靴下型健康用具６のソール部６ｓの幅方向中央部分において同ソール部６ｓの長手方向略全長に亘っている。更に、導電性塗料３の塗装範囲は、布地部７の指先当接部分にも亘っている。本参考例では、導電性塗料３は布地部７の外面に塗布されており、布地部７の内面には塗布されていない。
よって、靴下型健康用具６を着用（装着）した際、導電性塗料３は人体（足裏）に触れることがなく、履き心地のよい靴下型健康用具６となっている。なお、導電性塗料３は、布地部７の内面（人体の足裏の接触する側）に塗布してもよく、布地部７の外面に塗布してもよく、布地部７の内面と外面の両方に塗布してもよい。また、布地部７を５本指靴下（５本の足指をそれぞれ別個に覆う５つの足指挿入部を有するもの）としてもよい。この場合、各足指挿入部のそれぞれの底面及び側面に導電性塗料３が塗布されているのが好ましい。また足指挿入部相互間の対抗面に導電性塗料３が塗布されているのが好ましい。なぜなら、足指裏面や足指間は特に水虫が発生しやすい部位だからである。
【００１７】
導電線４の一端部は、布地部７のソール部６ｓの長手方向略全長に亘って導電性塗料３と接触している。靴下型健康用具６のかかと部において導電性塗料３から引き出された導電線４は、その他端部が金属体５と接続されている。靴下型健康用具６を人体に着用（装着）する際には、金属体５を靴の内部に配置してもよく、靴の外側に配置してもよい。ただし、後述する放電性の観点からは、靴の外部に配置したほうが空気に触れやすいので好ましい。
【００１８】
なお導電線４は、導電性塗料３と接触していればよい。よって導電線４は、導電性塗料３に固着させてもよく、また導電性塗料３に固着させずに靴の内部に置く等して導電性塗料３と接触させておくだけでもよい。
また靴の中敷き型健康用具１と同様、靴下型健康用具６においても、金属体５は金属製のホックとされてもよい。この場合、オス（凸部材）であるホック第一部材とメス（凹部材）であるホック第二部材とからなるホック（図示省略）のいずれかの部材に導電線４を取り付けておくと、金属体５の固定が容易となるので好ましい。
また例えば布地部７内側と外側とからホックで布地部７を挟み込むようにして布地部７にホックを固定してもよい。この場合、布地部７に貫通孔を設けておき、ホックをこの貫通孔に貫通させつつ当該ホックで布地部７を挟み込むようにしてホックを布地部７に固定するのが好ましい。このようにすると、布地部７の内側に位置するホック第一部材と布地部７の外側に位置するホック第二部材とが接触して電気的に接続されるので、金属体５から外部への放電が円滑となる。なおホック第二部材は布地部７に固定してもよく、固定しなくてもよい。
【００１９】
この靴下型健康用具６を着用して人体に装着すると、使用者の足裏の異臭を抑制するのに極めて顕著な効果があることがテストにより判明した。テスト結果については後述するが、このテスト結果から、異臭の原因である細菌が靴下型健康用具６により死滅したか、又は靴下型健康用具６の存在により異臭の原因となる細菌が発生しない環境が創成されていることが分かる。
【００２０】
図７は、参考例に係る腹巻き型健康用具１４に用いられている帯状部材８の全体図である。帯状部材８は、布や樹脂等よりなるシート状の基体部９と、この基体部９の一面（図７では表記されない側の面）の略全面に塗布された導電性塗料とを有している。帯状部材８は、帯長手方向及び帯幅方向の所定間隔おきに複数の貫通孔ｈを有している。この帯状部材８は、図８に示す着用補助具１５により人体の下腹部を覆う状態で人体に装着（着用）することができる。
【００２１】
着用補助具１５の内部に帯状部材８が挟み込まれて健康用具１４が構成される。着用補助具１５の帯長手方向長さは帯状部材８と略同一とされており、着用補助具１５の帯幅は帯状部材８の帯幅の略２倍とされている。そして、着用補助具１５の帯幅方向略中央位置で着用補助具１５を折り畳んで（すなわち図８の破線１６に沿って着用補助具１５を谷折りにして）図９の状態として帯状部材８を挟み込む（図８の矢印参照）。着用補助具１５の一面１５ａには、ボタン１７と、このボタン１７に適合するボタン穴１８が設けられている。ボタン１７の配置は、帯状部材８の貫通孔ｈの位置と対応している。またボタン穴１８の配置もボタン１７と対応しており、着用補助具１５を折り畳んだ際にボタン１７とボタン穴１８とが一対一で対応してボタン掛けができるようになっている。帯状部材８を着用補助具１５に装着する際には、先ず帯状部材８の貫通孔ｈのそれぞれに着用補助具１５のボタン１７のそれぞれを挿通し、次いで着用補助具１５を上述のように折り畳み、この折り畳んだ状態でボタン１７をボタン穴１８に挿通させてボタン掛けを行う（このボタン掛け後の状態が図９である）。このようにして、帯状部材８が着用補助具１５に挟み込まれた状態で固定され、図９に示す健康用具１４が構成される。
【００２２】
着用補助具１５の帯幅方向一端縁部には、帯長手方向に沿ってベルト部１９が設けられている。このベルト部１９の両端部は面ファスナーとされており、ベルトの役割を果たすことができる。よって、このベルト部１９を身体の腰部に巻き付けて固定することで、健康用具１４を人体の下腹部を覆うように（腹巻きのように）固定できる。健康用具１４は、腹巻きのように人体の全周を覆ってもよいが、例えば人体の半周だけを覆うものでもよい。上記のように帯状部材８を装着した健康用具１４を人体の下腹部に装着することで、帯状部材８の導電性塗料３が人体の股間近傍に配される。
なお、上記の着用補助具１５では、帯状部材８を挟み込んで固定する固定手段としてボタン１７（及びボタン穴１８）を用いたが、この固定手段はボタンに限定されず、例えばホックなどでもよい。
【００２３】
なお、帯状部材８の基体部９の貫通孔ｈ設置位置には、帯幅方向に沿って芯材２０が埋め込まれている（図７参照）。この芯材２０は、基体部９の素材（布等）よりも剛性の高い（コシの強い）素材よりなる。そして、この芯材２０が基体部９の帯幅方向略全長に亘って延在しているので、帯状部材８に皺が発生して帯状部材８の帯幅が狭くなることが抑制されている。
【００２４】
帯状部材８あるいは導電性塗料３は、パンツ、トランクス、又はシャツなどの下着に取り付けることもできる。下着装着型健康用具２３は、股間を含む下半身に着用する下着（パンツやトランクス等）に導電性塗料３を設けた例である。図１１（ａ）に示すように、綿等の生地からなる市販の下半身用下着２５の所定位置にボタン１７を取り付け、このボタン１７により、上述した帯状部材８（図７参照）を装着している。すなわち、下半身用下着２５のボタン１７を帯状部材８の貫通孔ｈの位置に対応させて配置し、このボタン１７を帯状部材８の貫通孔ｈに挿通することにより、下半身用下着２５に帯状部材８を装着している。
【００２５】
また、この本健康用具２３では、帯状部材８の装着をより確実とし且つ帯状部材８の外側を覆うカバー部材２６が装着されている。このカバー部材２６は、帯状部材８と略同形状の帯状部２７と、この帯状部２７の帯幅方向一端部において帯長手方向に沿って設けられたベルト部１９と、帯状部２７に設けられたボタン穴１８とを有している。帯状部２７のボタン穴１８の配置は帯状部材８の貫通孔ｈと同様に下半身用下着２５のボタン１７の配置に対応している。そして、帯状部材８が装着された状態の下半身用下着２５の外側からカバー部材２６が装着されている。カバー部材２６は、帯状部材８の貫通孔ｈを通過した下半身用下着２５をボタン１７をカバー部材２６のボタン穴１８に挿通することにより帯状部材８の外側に装着されている。図１１（ｂ）は、帯状部材８及びカバー部材２６が装着されてなる健康用具２３の全体図である。帯状部材８は、カバー部材２６により覆われるとともに、下半身用下着２５とカバー部材２６とで挟まれた状態となる。カバー部材２６のベルト部１９を人体の腰部に巻き付けて固定することにより、下腹部への帯状部材８の固定がより一層確実となる。
【００２６】
なお、下半身用下着２５に対する帯状部材８の取り付け位置は限定されず、使用者の患部位置や効果の違いによって適宜調整すればよい。例えば、図１１（ｃ）に示すように、下半身用下着２５の上部Ｊ（人体の腰部近傍）に装着しても良く、下半身用下着２５の下部Ｋ（人体の肛門近傍又は生殖器官近傍）に装着してもよく、下半身用下着２５の上下方向略中央位置Ｍに装着してもよい。また、上記健康用具２３ではボタン１７によって帯状部材８やカバー部材２６を下半身用下着２５に装着したが、ホックや面ファスナー等によって装着してもよい。
【００２７】
導電性塗料３を人体の股間近傍に配置して装着可能な上記健康用具１４や健康用具２３を人体に装着すると、装着者の痔疾患や便秘を改善するのに極めて顕著な効果があることがテストにより判明した。テスト結果については後述する。更に健康用具１４や健康用具２３は、人体の排尿機能の改善や精力増強にも顕著な効果があることが判明した。これらの効果から、健康用具１４や健康用具２３の装着により痔疾患の原因となる細菌が死滅したか又は痔疾患の原因となる細菌が発生しない環境が創成されたことが分かる。また、痔疾患、便秘、及び排尿機能等に効果があったことから、健康用具１４や健康用具２３は、人体の血行を促進する等により人体の生体機能に良好な影響を与えたことが分かる。
【００２８】
図１２は、本発明の実施形態である健康用具３０の全体図である。この健康用具３０は、肛門挿入型の健康用具である。この健康用具３０は、上述した参考例と異なり導電性塗料３が人体ｇに直接触れた状態で装着されている。この健康用具３０は、先端部３１ａが根元部３１ｂよりも太くなるように構成された肛門挿入部３１と、肛門挿入部３１の根元部３１ｂに隣接して設けられた鍔部３２と、その一端部が肛門挿入部３１と電気的に接続してなる導電線４と、導電線４の他端部と接続してなる金属体５とを有している。
【００２９】
肛門挿入部３１は、基体部としての軸体３３及びナット３４と、これら軸体３３及びナット３４の上に設けられた導電性塗料３とからなる。軸体３３及びナット３４は金属よりなる。軸体３３はボルトの軸部のようなねじ構造（ねじ山）を有しており、ナット３４と累合できるようになっている。この軸体３３の長手方向は肛門挿入部３１の長手方向と一致し、軸体３３に累合したナット３４は、この軸体３３の先端部側に配置されている。そして、これら軸体３３及びナット３４が導電性塗料３で覆われている。ナット３４を軸体３３の先端部側に配置することで、肛門挿入部３１の形状が先太り形状とされている。なお、基体部は軸体３３及びナット３４に限られず、肛門挿入部３１の形状を先太り形状とすることができればよい。
【００３０】
鍔部３２は、肛門挿入部３１の長手方向に直交する方向に延びてなる板状部材である。この鍔部３２は、肛門挿入部３１の根元部３１ｂよりも太くされている。導電線４は軸体３３と接続されているため、導電性塗料３と導電線４とは電気的に接続されている。導電線４は鍔部３２を貫通して肛門挿入部３１から引き出され、肛門挿入部３１と金属体５とを接続している。
【００３１】
図１２の二点鎖線は人体ｇのお尻の部分の断面図を示している。健康用具３０は、図１２に示すように人体ｇの肛門ｇ２に装着して用いられる。具体的には、肛門挿入部３１の先端部３１ａを肛門ｇ２の内部に挿入し、且つ鍔部３２を肛門ｇ２の外側に当接させた状態とする。肛門挿入部３１の先端部３１ａは根元部３１ｂよりも太いので、一旦肛門内部に挿入された肛門挿入部３１は肛門ｇ２から脱落しにくい構造となっている。また鍔部３２により肛門挿入部３１が体内に入り込んでしまうことが防止されている。よってこの肛門挿入型の健康用具３０は肛門ｇ２に安定的に留まって装着される。なお、特に好ましい健康用具３０のサイズは、肛門挿入部３１の長手方向長さが１５〜２５ｍｍ程度、先端部３１ａの太さ（先端部３１ａの断面横断長さの最大値）が４〜８ｍｍ程度、根元部３１ｂの太さが１〜３ｍｍ程度、鍔部３２の太さ（鍔部３２を円板状部材とする場合はその直径）は８〜２０ｍｍ程度である。
【００３２】
なお、金属体５には、下着等の衣服やベルト等に設けた係合部材と係合しうるようにしておくのが好ましい。導電線４及び金属体５が垂れ下がった状態とすると健康用具３０を装着した人体ｇが違和感を感じる場合があるからである。例えば、人体ｇが着用している下着に磁石を係合部材として取り付けておくとともに、金属体５を磁性体よりなる金属（鉄等）としておき、健康用具３０の装着中において上記係合部材（磁石）に金属体５を付けておく等とするのがよい。係合部材の配置としては、装着状態において人体ｇの腰部近傍となるのが好ましい。
【００３３】
上記のような肛門挿入型の健康用具３０を装着すると、装着者の痔疾患や便秘を改善するのに極めて顕著な効果があることがテストにより判明した。テスト結果については後述する。更に健康用具３０は、人体の排尿機能の改善や精力増強にも顕著な効果があることが判明した。これらの効果から、健康用具３０の装着により痔疾患の原因となる細菌が死滅したか、又は痔疾患の原因となる細菌が発生しない環境が創成されていることが分かる。また、痔疾患、便秘、及び排尿機能等に効果があったことから、健康用具３０は、人体の血行を促進する等により人体の生体機能に良好な影響を与えたことが分かる。
【００３４】
図１４は、上記健康用具３０の変形例である肛門挿入型の健康用具４０を示す図である。肛門挿入部４１は、基体部と導電性物質とが一体となったものである。具体的には、肛門挿入部４１はゴムと導電性粉末（カーボンや金属の粉末など）とを混合してなる導電性材料を成形したものである。また鍔部４２も肛門挿入部４１とともに導電性材料で一体成形されている。肛門挿入部４１は、軸体４１ｂと、この軸体４１ｂの長手方向３箇所に設けられ軸体４１ｂに直交する方向に拡がる面状部４１ａと、前記肛門挿入部４１と電気的に接続された導電線４及び金属体５とを有している。肛門挿入部４１は軟質なゴムよりなるから柔らかく、肛門ｇ２への負担が少ない。面状部４１ａは傘状の部材とされ、肛門挿入部４１を肛門から外れにくくするのに寄与している。面状部４１ａは、肛門挿入部４１の根元側（鍔部４２側）には比較的曲がりやすくされ、肛門挿入部４１の先端側には比較的曲がりにくくされている。よって、肛門挿入部４１の肛門内からの脱落を効果的に抑制できる。面状部４１ａの数は１つ又は２つでもよく、４つ以上でもよい。面状部４１ａは、軸体４１ｂと一体でもよい。また面状部４１ａは、軸体４１ｂとは別体とされ、着脱可能とされていてもよい。
図１５は、更に別の肛門挿入型の健康用具５０を示している。
この場合の健康用具５０は、ほぼ球形（図１５（ａ）の場合）又はほぼ長円柱形（図１５（ｂ）の場合）の肛門挿入部５１と、この挿入部５１に一端が電気的に接続された導電線４と、この導電線４の他端に接続された金属体５とから構成されている。肛門挿入部５１はゴムと導電性粉末（カーボンや金属の粉末など）とを混合してなる導電性材料よりなり、肛門の内部に保持できる程度の大きさに成形されている。
この図１５に示す健康用具５０では、鍔部がなく肛門挿入部５１を全体的に肛門に挿入するようになっているので、当該挿入部５１を肛門内の比較的奥の部分に保持させることができる。
【００３５】
このように本発明に用いられる導電性材料は、導電性を有していれば良く、導電性塗料の他、導電性樹脂、導電性ゴム、導電性エラストマー、導電性繊維、金属繊維、金属箔、等いかなるものであってもよい。例えば、樹脂やゴム等に導電性粒子を混合した導電性材料は、成形が容易であるから好適に用いられる。この導電性粒子の種類としては、上述したように金属（金、銀，銅，ニッケルなど）、銀メッキ銅、黒鉛、カーボンブラックなどを用いることが出来る。また、図１４や図１５に示す肛門挿入部４１，５１のように、基体部と導電性材料とが区別なく一体に形成されていてもよい。
【００３６】
次に、本発明の効果を裏付ける根拠となる電圧測定結果を示す。
図１３（ａ）に示すように、図４に示す靴下型健康用具６を履いた状態で、靴下型健康用具６の導電性塗料３と人体ｇ（例えば人体ｇの手又は首など）との間の電圧を電圧計２１により測定したところ、０．８Ｖ〜１．０Ｖの電圧（定常電圧）が観測され、導電性塗料３側の方がプラス、人体ｇ側のほうがマイナスであった。またこのとき、電圧計２１を当てた瞬間の初期電圧は、定常的に観測される定常電圧よりも０．１〜０．２Ｖ程度高くなった。つまり、例えば定常電圧が１．０Ｖの場合、電圧計２１を当てた瞬間の初期電圧は１．１Ｖ程度であり、その後５秒〜１０秒程度の間に徐々に電圧が低下していき、最終的には定常電圧の１．０Ｖとなった。その後電圧計２１を当て続けても電圧は低下せず、上記定常電圧が永続的に観測された。また、靴下型健康用具６から導電線４及び金属体５を取り除いた状態で上記と同様に電圧を測定したところ、定常電圧は０．４Ｖ〜０．６Ｖであった。
【００３７】
一方、靴下型健康用具６ではなく、靴下型健康用具６の基体部である布地部７のみからなる靴下（すなわち導電性塗料３を有しない通常の靴下）を履いて布地部７のソール部分と人体ｇとの間の電圧を測定したところ、０．１Ｖ以下であった。つまり、導電性塗料３の有無によって測定される電圧は大きく異なっており、導電性塗料３を設けることによって電圧は顕著に増加した。
更に、図９に示す腹巻き型の健康用具や図１１（ｂ）に示す下着装着型の健康用具において同様の実験をした結果、やはり上記と同じ電圧が観測された。
【００３８】
上述した電圧測定結果より、以下のような状態が発生していると考えられる。
（１）導電性塗料３を人体ｇの近傍に設けると導電性塗料３と人体ｇとの間に比較的高い電圧が発生していることが分かる。
（２）上記初期電圧は定常電圧よりも若干高いことから、導電性塗料３とその近傍で導電性塗料３に対向する人体ｇの表面（図１３（ｂ）における足裏ｇ１）とでコンデンサーのような状態が形成されていると考えられる。つまり、導電性材料である導電性塗料３によって人体ｇ内の電荷が導電性塗料３近傍に集電されるとともに、導電性塗料３及び人体ｇの表面とが互いに逆の電荷で帯電することにより蓄電されている。電圧計を当てるとこの蓄電された電荷が電圧計内を流れて放電し、これにより初期電圧から定常電圧への電圧低下が発生したと考えられる。
（３）上記のような比較的高い値の定常電圧が観測されたことから、人体ｇ内に蓄積された電荷が導電性材料を通じて人体ｇの外部に放電されていると考えられる。人体ｇ内の電荷は、導電性材料によって導電性材料の近傍に集電されて人体ｇ外部に放電されている。
【００３９】
上述したコンデンサー状態は、人体と導電性材料との間に絶縁体（たとえば布地部７）が介在したことにより発生したものと判断できる。この場合、絶縁体（たとえば布地部７）は誘電体となっている。そして、誘電体となる基体部の片面に人体が接しており、基体部の反対面に導電性材料を設けることによりコンデンサーのような構造が形成されている。よって、人体の起電力により、導電性材料と、この導電性材料の近傍の人体表面とに電荷が集まる。
【００４０】
静電気を防止して人体に蓄積された静電気を大地に放出（アース）するための導電性を有する履物や中敷きなどは公知であり、これらは例えば半導体工場等で用いられている（例えば、特開平６−２７７１０２号公報参照）。これらの静電気防止用の履物等と同様、上述した靴下型健康用具６や健康用具１についても、靴を履かずに使用すれば、人体に蓄積された静電気を足裏ｇ１に集電して大地に放出する役割を果たすと考えられる。しかし、靴下型健康用具６や健康用具１は靴等の履物と共に用いられるのが通例であり、靴下型健康用具６や健康用具１と大地との間には絶縁体の靴底が介在している。よって、人体からの導電性塗料３を経由した放電が大地へのものであると考えることはできない。更に、上述した定常電圧は、靴下型健康用具６を大地から離した状態で測定されたものである。更に、図９に示す腹巻き型の健康用具１４や、図１１（ｂ）に示す下着装着型の健康用具２３でも定常電圧が観測されている。従って、導電性塗料３により集電された人体内の電荷は、空気中にも放出（放電）されていることが分かる。
【００４１】
一般に、人体から空気中への放電としては、例えば衣類と人体とが擦れることにより人体に蓄積された静電気がドアノブなどに触れようとした際に指先から放電される場合などがある。また、空気中への放電として雷などが知られている。これらの例に示すように、空気中への放電は通常数千ボルト以上の電圧を要するものと考えることができる。しかしながら、上述のテストにおいて定常電圧が観測されている事実からすれば、上記健康用具からは空気中への放電が起きていると考えざるを得ない。ただし、上記健康用具からの空気中への放電は、雷等に比べれば極めて微弱なもの（漏れ電流程度のもの）である。
【００４２】
空気中には様々なイオンが浮遊していることが知られている。空気中に存在する窒素、酸素、二酸化炭素、水素、水蒸気や塵、埃などの種々の浮遊物の中には、プラスやマイナスに帯電しているものが存在する。イオンカウンターで測定した結果によれば、一般に空気中には空気１ｃｃ当たり数百〜数千程度のイオンが存在することが広く知られている。また、例えば滝壺周辺や森林などではマイナスイオンが比較的多く浮遊し、電磁波等の多いオフィスなどではプラスイオンが比較的多く浮遊していることなども良く知られている。滝壺周辺や噴水周辺などでマイナスイオンが多いのは、滝や噴水などで水が激しくぶつかり微細な水滴が飛び散るときに水滴はプラスに帯電するとともに該水滴の周囲の空気はマイナスに帯電するため、上記水滴によってマイナスイオンの多い環境が作り出されるからである。
【００４３】
本発明において、導電性材料である導電性塗料３と人体ｇとの間に電位差が生じている以上、導電性塗料３の帯電電荷と反対の電荷を有するイオンが導電性塗料３に引き寄せられていると判断できる。また、導電性塗料３の近傍に集電された人体側の電荷も空気中のイオンを引き寄せる。つまり、上述した靴下型健康用具６による実験でいえば、導電性塗料３がプラスに帯電し人体はマイナスに帯電しているので、空気中のマイナスイオンが導電性塗料３に引き寄せられ、且つ空気中のプラスイオンが人体側に引き寄せられていると考えられる。そして、導電性塗料３や人体ｇの帯電電荷とこれに引き寄せられた空気中のイオンの電荷とが相殺（中和）され続けることにより、人体ｇから導電性塗料３に定常的に電流が流れたような状態が創成されていると判断できる。本願では、このような空気中のイオンとの電荷相殺による電流も含めて「空気中への放電」というものとする。
【００４４】
なお、人体ｇにはプラス又はマイナスの電荷のもととなるものが多種存在することは公知である。血液中にはプラスイオンやマイナスイオンが存在していることが知られている。また衣服等と人体とが擦れることにより、人体はプラス又はマイナスに帯電することも知られている。よって、人体の近傍に導電性材料を配置すると、人体に存在する電荷（イオンや静電気）が導電性材料の近傍に集電される。
【００４５】
以上で説明したように、人体ｇの近傍に配置された導電性材料によって人体が帯電する電荷が導電性材料の近傍に集電され、人体と導電性材料との間に定常的に電流が流れている。また、導電性材料及び導電性材料近傍の人体には、空気中のイオンが引き寄せられて集まった状態であるといえる。したがって、上述した本発明の各効果の根拠は以下のように考えられる。
（Ａ）導電性材料によって導電性材料近傍の人体には人体内の電荷やイオンが集まり、これにより導電性材料近傍の人体に空気中のイオンが引き付けられる。例えば上述した靴下型健康用具６による実験では、導電性材料側はプラス、人体ｇ側がマイナスに帯電しているので、人体ｇの足裏ｇ１の表面にはプラスイオンが引き寄せられる。この引き寄せられたイオンが抗菌又は殺菌効果を奏すると考えられる。なお、イオンには抗菌又は殺菌効果があることが知られており、例えば抗菌剤として広く一般的に用いられているものはＡｇ＋などの金属イオン（プラスイオン）である。
（Ｂ）上述した放電（人体ｇと導電性材料との間の定常的な電流）により、導電性材料の近傍には人体内に蓄電された電荷が常時集電される。よって、血液中のプラスイオン又はマイナスイオン（上述した靴下型健康用具６での実験例でいえば、人体ｇ中のマイナスイオン）が常時導電性材料の近傍に集まり、これが血流を促進する等の効果を奏し生体機能を活性化しているものと考えられる。
【００４６】
そして、後述するテスト結果で示されるように、上述した効果（Ａ）及び効果（Ｂ）は、導電性材料である導電性塗料３に導電線４及び金属体５を接続することによりより一層高まる。すなわち、金属体５は導電性塗料３よりも導電性が高く、且つ金属体５の存在により空気に接する表面積が増加する。このため、金属体５により導電性材料から空気中への放電（人体ｇと導電性材料との間の定常的な電流）が増加し、これにより上記効果（Ａ）及び効果（Ｂ）が高まると判断できる。
【００４７】
（実施例によるテスト結果）
本発明の実施例を作製して装着し、人体への影響をテストした。
表１は、図４で示した靴下型健康用具６及び図１で示した健康用具１によるテスト結果をまとめたものである。参考例１〜８及び比較例１は以下の仕様により作製した。
【００４８】
（参考例１；靴下型、導電線４及び金属体５無し）
図４で示した第二実施形態の靴下型健康用具６から導電線４及び金属体５を取り除いた以外は靴下型健康用具６と同じ構成の靴下とした。
導電性塗料としては、水性塗料のバインダーに導電性の粉末を混合したものを用いた。水性塗料のバインダーとしては、水性アクリル系樹脂であるカナエ化学社製の商品名カナエアクリルを用いた。また、導電性粉末としてはグラファイトの粉末を用い、具体的にはエスイーシー社製の商品名ＳＥＣ１０又は備長炭粉末を用いた。この導電性粉末を水性塗料の固形分１００重量部に対して１〜２重量部配合した。その結果、靴下に塗布された状態の導電性塗料の抵抗値は１０２〜１０５Ωとなった。
【００４９】
（参考例２；靴下型、導電線４及び金属体５無し）
導電性塗料のバインダーを油性塗料とした以外は、参考例１と同様にして靴下を作製した。この油性塗料はエポキシ系樹脂であるダイユーペイント社製の商品名３Ｈプライマーを用いた。また、靴下に塗布された状態の導電性塗料の抵抗値は１０２〜１０５Ωとなった。
【００５０】
（参考例３；靴の中敷き型、導電線４及び金属体５無し）
図１で示す第一実施形態の靴の中敷き型健康用具１から導電線４及び金属体５を取り除いた以外は健康用具１と同じ構成とした。
導電性塗料としては、参考例１と同じもの（バインダーが水性塗料）を用いて靴の中敷きを作製した。
【００５１】
（参考例４；靴の中敷き型、導電線４及び金属体５無し）
導電性塗料を参考例２と同じもの（バインダーが油性塗料）とした以外は参考例３と同様にして靴の中敷きを作製した。
【００５２】
（参考例５；靴下型、導電線４及び金属体５有り）
参考例１の靴下に導電線４及び金属体５を取り付け、図４で示した靴下型健康用具６と同じ構成の靴下とした。導電線４及び金属体５を取り付けた点以外は全て参考例１と同様の靴下とした。
【００５３】
（参考例６；靴下型、導電線４及び金属体５有り）
導電性塗料を参考例２と同じとした以外は、参考例５と同様にして靴下を作製した。
【００５４】
（参考例７；靴の中敷き型、導電線４及び金属体５有り）
参考例３の靴の中敷き型健康用具に導電線４及び金属体５を取り付け、図１で示す健康用具１と同じ構成とした。その他の点は参考例３と同様にして靴の中敷きを得た。
【００５５】
（参考例８；靴の中敷き型、導電線４及び金属体５有り）
導電性塗料を参考例２と同じもの（バインダーが油性塗料）とした以外は参考例７と同様にして靴の中敷きを得た。
【００５６】
（比較例１）
導電性塗料を有さない靴下とした。すなわち、参考例１の靴下から導電性塗料を取り除いた靴下とした。
【００５７】
以上のような参考例１〜８及び比較例１を１０名のテスターに４日間連続して装着（着用）してもらうテストを行った。靴下に関しては、各テスターは、一日約２４時間（入浴時間を除く全ての時間）靴下を履き、且つ洗濯等をすることなく同一の靴下を４日間履き続けた。
また、靴の中敷きに関しては、図２に示すようにブーツ内に装着してもらいテストを行った。ブーツを履いた時間は、１０名のテスターの平均値で一日当たり約８時間であり、４５日間使用した。
【００５８】
評価は、靴下に関しては２日後、３日後、４日後の各時点で、各テスターが靴下の臭いをかいで官能評価した。また中敷きに関しては、装着してから１５日後、３０日後及び４５日後の各時点で、各テスターが靴の中敷きの臭いをかいで官能評価した。評価は次の５段階とした。
◎・・・異臭無し
○・・・かすかに異臭がある程度
△・・・僅かに異臭がある（評価○よりも異臭が強い）
×・・・異臭発生（評価△よりも異臭が強い）
××・・異臭が強い
【００５９】
【表１】
0004733466.tif 000002
【００６０】
表１の結果で示すように、導電性塗料のない通常の靴下である比較例１と比較して、靴下の参考例１，２、参考例５，６では異臭が顕著に低減した。また、靴の中敷きの参考例３，４，参考例７，８は、異臭が発生しやすいブーツ内で使用したにもかかわらず比較例１の靴下と比較して異臭が少なく、異臭が殆ど無かった。
【００６１】
更に、導電線４及び金属体５を有さない参考例１〜４と比較して、導電線４及び金属体５を有する参考例５〜８は顕著に異臭が少なく、これら参考例５〜８では、４５日後（中敷きの場合）までのいずれの時点においても「異臭なし」の評価を得た。この結果は、導電線４及び金属体５により本発明の効果が極めて高まることを示すと同時に、上述した効果（Ａ）や効果（Ｂ）を裏付ける根拠となるものである。
【００６２】
表３は、図９に示す健康用具１４と同じ構成の参考例９と、この参考例９の導電性塗料３に導電線４及び金属体５を接続した参考例１０によるテスト結果である。図示省略するが、参考例１０では、着用補助具１５の内部に挟み込まれた帯状部材８の表面に塗布された導電性塗料３に導電線４の一端部を接続し、導電線４の他端部を金属体５と接続した。なお、参考例９、参考例１０共に、導電性塗料としては参考例１と同じものを用いた。
【００６３】
そして、これら参考例９、参考例１０の腹巻き型健康用具を下着の上から巻き付けて人体に装着した。なお、参考例１０を装着した際、金属体５は、人体が着用する下着（パンツ）側に取り付けた磁石に付着させて固定した。
そして、これら参考例９、参考例１０を、就寝時を含めて常時（１日当たり２４時間）装着し、効果を確認した。テスト期間は４ヶ月とし、装着してから２４時間後、３日後、２ヶ月後、４ヶ月後の各時点において評価した。
【００６４】
テストは、表２に示す３名のテスターＡ，Ｂ，Ｃにより行った。この３名のテスターＡ，Ｂ，Ｃのテスト前の状況を表２に示す。３名のテスター共、痔疾患を持っており、且つ便通も良好ではなかった。テスト前及びテスト後各時点における痔及び便通の程度をそれぞれ○（良好）、△（やや悪い）、×（悪い）の３段階で評価した。また表３は、３名の評価のうち最も多い評価を示している。
【００６５】
【表２】
0004733466.tif 000003
【００６６】
【表３】
0004733466.tif 000004
【００６７】
表３に示すように、参考例９、参考例１０の両方において、３名のテスターはテスト開始日当日から痔疾患及び排便についての改善効果を実感した。
便通に関しては、テスターＡはテスト前は少し便秘気味であったが、テスト開始当日から効果を実感でき、２ヶ月後には快便の状態となった。テスターＢは、テスト前の段階では便秘と軟便の繰り返しであったが、テスト開始当日から効果を実感でき、２ヶ月後には快便の状態となった。テスターＣは、テスト前の段階では常時軟便の状態であったが、テスト後はかなり快便に近い状態となり、軟便が改善された。
痔疾患に関しては、３名のテスターともにテスト開始日当日から改善効果を確認し、特にテスト開始から２ヶ月後には痔の症状が完治に近い程度にまで改善した。
更に、参考例９及び参考例１０のいずれについても、４ヶ月の装着テストを終了した後少なくとも７日間に亘って痔及び排便に関する効果が維持された（表３参照）。また、３名ともテストによる副作用（悪影響）は全く見られなかった。
【００６８】
表４は、図１２に示す肛門挿入型の健康用具３０と同一の構成よりなる実施例１でのテスト結果である。また表５は、排尿機能及び精力増強に関するテスト結果である。実施例１で用いた導電性塗料３は参考例１と同じとした。テスターはテスターＥ（７１歳），テスターＦ（７３歳），テスターＧ（７６歳）の３名とした。
【００６９】
【表４】
0004733466.tif 000005
【００７０】
【表５】
0004733466.tif 000006
【００７１】
まず、テスターＥ，Ｆ，Ｇに関して肛門挿入型の実施例１を３ヶ月に亘って各テスターの肛門に装着（就寝時間を中心に一日当たり平均８時間程度装着）したところ、表５に示すように排尿機能及び精力の改善に多大な効果があった。まず、３名のテスターにおける就寝中の排尿頻度（一晩あたりの排尿回数）を調査したところ、装着前よりも装着後のほうが排尿頻度が減少した。たとえばテスターＥに関しては、装着前の排尿頻度が一晩あたり１〜２回であったが、装着後は０〜１回となった。
さらに、３名のテスターとも、実施例１を装着することにより、排尿時の放水圧（勢い）は各テスターの目視評価（官能評価）で１．５倍以上となった。
また、３名のテスターとも、排尿時の残尿感は、各テスターの官能評価で実施例１の装着前を１００として３０以下となった。
また、３名のテスターとも、一月当たりの性交回数が大幅に増加した。表４に記載の装着前性交回数はテスト開始前３ヶ月における平均性交回数（回／月）であり、装着後性交回数はテスト期間３ヶ月中における性交回数（回／月）である。
以上の効果は、実施例１の装着した当日から確認され、３ヶ月のテスト期間中効果が持続し、且つテスト期間が経過するにつれて徐々に効果が大きくなった。
【００７２】
また、上記テスターＥ，Ｆ，Ｇについて、表４に示すように痔疾患及び排便機能の改善についてもテストを行った。上記実施例１の肛門挿入型健康用具を２ヶ月間（一日当たりの平均装着時間は約８時間装着し、効果を確認した。結果を表５に示す。表４の◎は、３名のテスターのうち２名以上において、痔に関してはほぼ完治したことを示し、排便に関しては快便となったことを示す。３名とも、実施例１の装着の当日から顕著な効果が現れ、この効果は２ヶ月のテスト期間及びテスト終了後少なくとも７日間持続した。
【００７３】
テスターＥ及びテスターＦは、テスト前は両者ともいぼ痔であり、座薬を頻繁に使用していた。またテスターＥ及びテスターＦのテスト前の便通は少し便秘気味であった。しかし実施例１の装着から２ヶ月後には痔が完治し且つ快便となった。テスターＧは時々出血のみられるいぼ痔であり、座薬を時々使用していた。またテスターＧは長年便秘症であったが、実施例１の装着から２ヶ月後には痔が完治し、便通も快便までには至らなかったものの大幅な改善が見られた。なお、上記各テストと同様、実施例１によるテストにおいても、全テスターにはテストによる副作用は全く見られなかった。
【００７４】
以上に記載のように、本発明の健康用具は、抗菌作用を有するのみならず、人体の生理機能を活性化する働きがある。これは上述したように、人体内の血液中などに含まれるイオンに作用して血流を促進するなどの効果によるものと考えられる。よって、本発明の健康用具は、人体への装着により前記導電性塗料が人体近傍に配置されて、人体の生理機能の活性化又は抗菌効果を奏するものである。
【図面の簡単な説明】
【００７５】
【図１】参考例に係る靴の中敷き型健康用具の全体図である。
【図２】図１の健康用具をブーツ内に装着した場合の断面図である。
【図３】図２のＡ−Ａ線における断面図である。
【図４】参考例に係る靴下型健康用具の全体図である。
【図５】図４の健康用具の底面図である。
【図６】図４のＢ−Ｂ線における断面図である。
【図７】参考例に係る腹巻き型健康用具に用いる帯状部材の全体図である。
【図８】参考例に係る腹巻き型健康用具に用いる着用補助具の全体図である。
【図９】参考例に係る腹巻き型健康用具の一部を示す説明図である。
【図１０】参考例に係る下着装着型健康用具に用いるカバー部材の全体図である。
【図１１】参考例に係る下着装着型健康用具について説明するための図である。
【図１２】本発明の実施形態である肛門挿入型健康用具の全体図である。
【図１３】（ａ）は、人体と導電性塗料との間の電圧を測定する様子を示す図であり、（ｂ）は図１３（ａ）の測定中における足裏近傍の拡大断面図である。
【図１４】本発明の肛門挿入型健康用具の変形例を示す全体図である。
【図１５】本発明の肛門挿入型健康用具の別の変形例を示す全体図である。
【符号の説明】
【００７６】
１    靴の中敷き型健康用具（健康用具）
２    基材シート（靴の中敷き；基体部）
３    導電性塗料
４    導電線
５    金属体
６    靴下型健康用具（健康用具）
７    布地部（靴下；基体部）
８    帯状部材
９    基体部
１４  腹巻き型健康用具（健康用具）
２３  下着装着型健康用具（健康用具）
３０  肛門挿入型健康用具（健康用具）
ｇ    人体
ｇ１  足裏
ｇ２  肛門
【図１】
0004733466.tif 000007
【図２】
0004733466.tif 000008
【図３】
0004733466.tif 000009
【図４】
0004733466.tif 000010
【図５】
0004733466.tif 000011
【図６】
0004733466.tif 000012
【図７】
0004733466.tif 000013
【図８】
0004733466.tif 000014
【図９】
0004733466.tif 000015
【図１０】
0004733466.tif 000016
【図１１】
0004733466.tif 000017
【図１２】
0004733466.tif 000018
【図１３】
0004733466.tif 000019
【図１４】
0004733466.tif 000020
【図１５】
0004733466.tif 000021